(57)【要約】【課題】極めて簡単な回路構成としながら、本体機器への脱着を確実に検出して、電池の無駄な消費を低減する。【解決手段】パック電池は、二次電池１１と、この二次電池１１から内蔵する電子回路への電源供給をオンオフするシャットダウン回路１２と、装着される本体機器３０との信号端子１３とを備える。シャットダウン回路１２は、信号端子１３の電圧を検出して、本体機器３０との脱着を検出し、パック電池が本体機器３０から外された状態で、二次電池１１から電子回路への電源供給をシャットダウンする。【選択図】図１
2007042396.tif 000002
【特許請求の範囲】
【請求項１】
二次電池(11)、(51)と、この二次電池(11)、(51)から内蔵する電子回路への電源供給をオンオフするシャットダウン回路(12)、(52)と、装着される本体機器(30)、(70)との信号端子(13)、(53)とを備えるパック電池であって、
シャットダウン回路(12)、(52)が、信号端子(13)、(53)の電圧を検出して、本体機器(30)、(70)との脱着を検出し、パック電池が本体機器(30)、(70)から外された状態で、二次電池(11)、(51)から電子回路への電源供給をシャットダウンするようにしてなるパック電池。
【請求項２】
電池温度を検出する温度センサー(16)を備え、この温度センサー(16)は信号端子(13)に接続され、温度センサー(16)の電圧を検出して本体機器(30)への脱着を検出する請求項１に記載されるパック電池。
【請求項３】
電池情報を記憶するメモリ(57)を備え、このメモリ(57)は信号端子(53)に接続され、メモリ(57)に接続している信号端子(53)の電圧を検出して本体機器(70)への脱着を検出する請求項１に記載されるパック電池。
【請求項４】
電子回路がマイコン(14)、(54)を備える請求項１に記載されるパック電池。
【請求項５】
二次電池(11)、(51)の電圧を安定化して電子回路に供給するレギュレータ回路(15)、(55)を備えており、このレギュレータ回路(15)、(55)と二次電池(11)、(51)との間にシャットダウン回路(12)、(52)を接続している請求項１に記載されるパック電池。
【請求項６】
パック電池(10)、(50)と、これを脱着できるように装着する本体機器(30)、(70)とからなる電気機器であって、
パック電池(10)、(50)は、二次電池(11)、(51)と、この二次電池(11)、(51)から内蔵する電子回路への電源供給をオンオフするシャットダウン回路(12)、(52)と、装着される本体機器(30)、(70)との信号端子(13)、(53)とを備え、
本体機器(30)、(70)はパック電池(10)、(50)の信号端子(13)、(53)に接続されるコネクタ端子(33)、(73)を備え、コネクタ端子(33)、(73)は、プルアップ抵抗(32)、(72)を介して本体機器(30)、(70)の電源部に接続しており、
パック電池(10)、(50)が本体機器(30)、(70)に接続されると、プルアップ抵抗(32)、(72)が信号端子(13)、(53)の電圧を設定電圧よりも高くし、パック電池(10)、(50)のシャットダウン回路(12)、(52)は設定電圧よりも高い電圧を検出して、本体機器(30)、(70)に装着されたことを検出し、
パック電池(10)、(50)が本体機器(30)、(70)から外されて信号端子(13)、(53)の電圧が設定電圧よりも低下すると、シャットダウン回路(12)、(52)が信号端子(13)、(53)の電圧を検出して、二次電池(11)、(51)から電子回路への電源供給をシャットダウンするようにしてなるパック電池が装着される電気機器。
【発明の詳細な説明】
【技術分野】
【０００１】
本発明は、脱着できるできるように本体機器に装着されるパック電池と、このパック電池を装着している電気機器に関する。
【背景技術】
【０００２】
パック電池は、電池を保護するための電子回路を内蔵して、電池寿命を長くできる。電池の過放電や過充電を防止しながら充放電できるからである。ただ、電子回路は二次電池の電力を消費するので、これが二次電池を過放電させる原因となる。電子回路が二次電池の過放電を防止するために、たとえば電池電圧が最低電圧よりも低下すると、電子回路の電源回路をシャットダウンして電池の放電を停止する回路は開発されている。（特許文献１参照）
【特許文献１】２００５−１１０４２５号公報
【発明の開示】
【発明が解決しようとする課題】
【０００３】
パック電池は、電池電圧が最低電圧よりも低下してシャットダウンして、過放電を防止できる。しかしながら、電池の充放電電流を演算して残容量等を演算する電子回路、あるいは電池のＩＤ等の識別回路の電子回路、あるいはまた充放電の回数をカウントする電子回路等が常時動作状態にあると、パック電池を本体機器に接続しない状態においても、電子回路が無駄に電力を消費して、電池の残容量が減少する。このため、パック電池を本体機器にセットして使用するとき、使用時間が短くなる欠点がある。
【０００４】
この欠点は、パック電池を本体機器に接続しないときに、電子回路の電源供給をシャットダウンして解消できる。ただ、このことを実現するには、パック電池が本体機器に接続したかどうかを判定する必要がある。この判定は、本体機器からパック電池に、「装着信号」を出力する回路を実装し、パック電池には「装着信号」を検出してシャットダウンを制御する回路を実装して実現できる。このように、本体機器とパック電池の両方に装着を検出するための回路を設けると、回路構成が複雑になる。また、パック電池が本体機器に装着されるとき、パック電池と本体機器との間で情報を交互に伝送する電気機器においては、「装着信号」を伝送するタイミングを特定する必要がある。このため、回路構成が複雑になるばかりでなく、タイミングのコントロールも複雑になる。
【０００５】
本発明は、このような欠点を解決することを目的に開発されたものである。本発明の重要な目的は、極めて簡単な回路構成としながら、本体機器への脱着を確実に検出して、電池の無駄な消費を低減できるパック電池とこのパック電池を装着している電気機器を提供することにある。
【課題を解決するための手段】
【０００６】
本発明のパック電池は、前述の目的を達成するために以下の構成を備える。
パック電池は、二次電池１１、５１と、この二次電池１１、５１から内蔵する電子回路への電源供給をオンオフするシャットダウン回路１２、５２と、装着される本体機器３０、７０との信号端子１３、５３とを備える。シャットダウン回路１２、５２は、信号端子１３、５３の電圧を検出して、本体機器３０、７０との脱着を検出し、パック電池が本体機器３０、７０から外された状態で、二次電池１１、５１から電子回路への電源供給をシャットダウンする。
【０００７】
本発明のパック電池は、電池温度を検出する温度センサー１６を備え、この温度センサー１６を信号端子１３に接続して、温度センサー１６の電圧を検出して本体機器３０への脱着を検出することができる。
【０００８】
本発明のパック電池は、電池情報を記憶するメモリ５７を備え、このメモリ５７を信号端子５３に接続し、メモリ５７に接続している信号端子５３の電圧を検出して本体機器３０への脱着を検出することができる。
【０００９】
本発明のパック電池は、電子回路がマイコン１４、５４を備えることができる。
【００１０】
本発明のパック電池は、二次電池１１、５１の電圧を安定化して電子回路に供給するレギュレータ回路１５、５５を備え、このレギュレータ回路１５、５５と二次電池１１、５１との間にシャットダウン回路１２、５２を接続することができる。
【００１１】
本発明の請求項６のパック電池が装着される電気機器は、パック電池１０、５０と、これを脱着できるように装着する本体機器３０、７０とからなる。パック電池１０、５０は、二次電池１１、５１と、この二次電池１１、５１から内蔵する電子回路への電源供給をオンオフするシャットダウン回路１２、５２と、装着される本体機器３０、７０との信号端子１３、５３とを備える。本体機器３０、７０は、パック電池１０、５０の信号端子１３、５３に接続されるコネクタ端子３３、７３を備える。コネクタ端子３３、７３は、プルアップ抵抗３２、７２を介して本体機器３０、７０の電源部に接続している。この電気機器は、パック電池１０、５０が本体機器３０、７０に接続されると、プルアップ抵抗３２、７２が信号端子１３、５３の電圧を設定電圧よりも高くし、パック電池１０、５０のシャットダウン回路１２、５２が設定電圧よりも高い電圧を検出して、本体機器３０、７０に装着されたことを検出し、パック電池１０、５０が本体機器３０、７０から外されて信号端子１３、５３の電圧が設定電圧よりも低下すると、シャットダウン回路１２、５２が信号端子１３、５３の電圧を検出して、二次電池１１、５１から電子回路への電源供給をシャットダウンする。
【発明の効果】
【００１２】
本発明は、極めて簡単な回路構成としながら、パック電池の本体機器への脱着を確実に検出して、電池の無駄な消費を低減できる特徴がある。それは、本発明のパック電池が、電池温度や情報を本体機器に伝送するために設けている信号端子の電圧を検出して、本体機器への脱着を検出するからである。すなわち、本体機器側がパック電池の情報を検出するために設けている信号端子を利用して、パック電池側から本体機器への接続を検出して、脱着を判別する。この構造は、本体機器側に、パック電池の脱着を検出するための専用回路を特別に装備する必要がなく、パック電池側で脱着を確実に検出できる。それは、パック電池が本体機器に装着されると、信号端子の電圧が変化するからである。
【発明を実施するための最良の形態】
【００１３】
以下、本発明の実施例を図面に基づいて説明する。ただし、以下に示す実施例は、本発明の技術思想を具体化するためのパック電池１０と電気機器を例示するものであって、本発明はパック電池１０と電気機器を以下のものに特定しない。
【００１４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１５】
図１は、本体機器３０に脱着できるように装着されるパック電池１０と本体機器３０の回路図である。この図のパック電池１０は、二次電池１１と、この二次電池１１から内蔵する電子回路への電源供給をオンオフするシャットダウン回路１２と、装着される本体機器３０のコネクタ端子３３に接続される信号端子１３とを備える。実際のパック電池を構成するのに必要な保護回路は、図示していない。
本体機器３０は、パック電池１０を電源とする電動工具等の負荷である。また、本体機器３０は、充電器のような電源であってもいいし、ノート型パソコンのように、負荷と充電器を兼用する機器であってもよい。
【００１６】
二次電池１１は、リチウムイオン二次電池である。ただ、二次電池は、ニッケル水素電池やニッケルカドミウム電池等、他の二次電池とすることもできる。図のパック電池１０は、複数の二次電池１１を直列に接続してい出力電圧を高くしている。
【００１７】
電子回路は、ワンチップマイコン（ＭＰＵ）１４を備える。ワンチップマイコン１４は、二次電池１１の、電流や電圧の検出回路（図示せず）に接続されて、二次電池１１の充放電電流や電圧から残容量を演算し、あるいは二次電池１１の種類、定格などの初期情報、あるいは充放電回数や使用履歴をカウントして、情報を本体機器３０に伝送する。電子回路は、レギュレータ回路１５を介して二次電池１１から電力が供給される。レギュレータ回路１５は、二次電池１１の電圧を安定化させて電子回路を駆動する電力を供給する。レギュレータ回路１５を備えるパック電池１０は、二次電池１１の電圧が変化しても、電子回路に電圧変化の少ない電源電圧を供給して、電子回路を安定に動作できる。ただ、パック電池は、必ずしもレギュレータ回路を必要とせず、二次電池の電力をレギュレータ回路を介することなく供給することもできる。
【００１８】
図のパック電池１０は、電池温度を検出する温度センサー１６を備えている。この温度センサー１６は信号端子１３に接続している。パック電池１０は、信号端子１３に接続している温度センサー１６の電圧を検出して、本体機器３０への脱着を検出する。パック電池１０が本体機器３０に接続されると、信号端子１３の電圧が上昇して”Ｈｉｇｈ”となる。パック電池１０が本体機器３０から外されると、信号端子１３の電圧が低下して”Ｌｏｗ”となる。パック電池１０が本体機器３０に接続されると、温度センサー１６が本体機器３０のプルアップ抵抗３２を介して電源部としての電源ライン３１に接続されるからである。本体機器３０は、パック電池１０の信号端子１３に接続されるコネクタ端子３３を、プルアップ抵抗３２を介して本体機器３０の電源ライン３１に接続している。また、プルアップ抵抗３２は、本体機器３０の他の電源部（図示せず）に接続することもできる。
【００１９】
ワンチップマイコン１４は、温度センサー１６の電圧を検出して、電池温度を検出する。温度センサー１６は、電池温度で電気抵抗が変化する、サーミスタ等の温度素子である。サーミスタは、温度が高くなると電気抵抗が急激に小さくなる温度素子である。電池温度が変化して、温度センサー１６の電気抵抗が変化すると、信号端子１３の電圧が変化する。本体機器３０においては、プルアップ抵抗３２と温度センサー１６との接続点の分圧電圧を、電圧検出回路３５にて検出して、電池温度を検出している。また、これに代わって、パック電池１０内にて、ワンチップマイコン１４は信号端子１３の電圧、いいかえると温度センサー１６の電圧を検出して、電池温度を検出することもできる。
【００２０】
電池温度で温度センサー１６の電圧を変化させるために、本体機器３０は信号端子１３に接続されるコネクタ端子３３にプルアップ抵抗３２を介して電源ライン３１に接続している。温度センサー１６の電圧は、本体機器３０の電源電圧を、プルアップ抵抗３２と温度センサー１６の電気抵抗の比で分圧する電圧となる。したがって、電池温度が高くなって、温度センサー１６であるサーミスタの電気抵抗が小さくなると、温度センサー１６の電圧は低くなる。
【００２１】
シャットダウン回路１２は、信号端子１３に接続している温度センサー１６に接続している第１の入力スイッチング素子２１及び第２の入力スイッチング素子２２と、第１の入力スイッチング素子２１でオンオフに制御されるメインスイッチング素子２３と、電子回路のワンチップマイコン１４でオンオフに制御されて、メインスイッチング素子２３をオンオフに制御する制御スイッチング素子２４とを備える。図に示すパック電池１０は、シャットダウン回路１２のスイッチング素子にＦＥＴを使用する。ただし、スイッチング素子にはＦＥＴに代わってトランジスターも使用できる。
【００２２】
第１の入力スイッチング素子２１と第２の入力スイッチング素子２２は、入力側の端子であるゲートを信号端子１３に接続して、アース側の端子であるソースをアースに接続している。第１の入力スイッチング素子２１と、第２の入力スイッチング素子２２とは、入力側のゲートを信号端子１３に接続しているので、信号端子１３の電圧が”Ｈｉｇｈ”の状態でオン、”Ｌｏｗ”の状態でオフになる。さらに、第１の入力スイッチング素子２１は、出力側の端子であるドレインをメインスイッチング素子２３の入力側であるゲートに接続している。したがって、第１の入力スイッチング素子２１がオンになると、メインスイッチング素子２３はオンとなる。第２の入力スイッチング素子２２は、出力側のドレインに負荷抵抗２５を接続すると共に、ワンチップマイコン１４であるＭＰＵに接続している。第２の入力スイッチング素子２２は、信号端子１３が”Ｈｉｇｈ”のときにワンチップマイコン１４に”Ｌｏｗ”を出力し、信号端子１３が”Ｌｏｗ”のときにワンチップマイコン１４に”Ｈｉｇｈ”を出力する。
【００２３】
メインスイッチング素子２３は、入力側のゲートを第１の入力スイッチング素子２１のドレインに接続して、ソースを二次電池１１に、ドレインをレギュレータ回路１５に接続している。メインスイッチング素子２３（ｐチャンネル型ＦＥＴなので、ゲート電圧がＬｏｗでオンとなる）は、第１の入力スイッチング素子２１と制御スイッチング素子２４のいずれかがオンとなって、ゲートを”Ｌｏｗ”とする状態ではオンに切り換えられる。オン状態のメインスイッチング素子２３は、二次電池１１をレギュレータ回路１５に接続して、二次電池１１からレギュレータ回路１５に電力を供給する。レギュレータ回路１５に電力が供給されると、別回路（図示せず）を介して、ワンチップマイコン１４、第２の入力スイッチング素子２２の上側の抵抗端に、電力を供給する。メインスイッチング素子２３は、ゲートを”Ｈｉｇｈ”とする状態でオフになる。メインスイッチング素子２３のゲートが”Ｈｉｇｈ”となるのは、第１の入力スイッチング素子２１と制御スイッチング素子２４の両方がオフになるときである。
【００２４】
制御スイッチング素子２４は、ワンチップマイコン１４でオンオフに制御される。ワンチップマイコン１４は、動作状態にあるときに制御スイッチング素子２４をオンとする。したがって、メインスイッチング素子２３がオンに切り換えられて、ワンチップマイコン１４が動作状態になると、制御スイッチング素子２４はオンに切り換えられる。オン状態にある制御スイッチング素子２４は、メインスイッチング素子２３をオンに保持する。
【００２５】
メインスイッチング素子２３は、図２に示すように、第１の入力スイッチング素子２１と制御スイッチング素子２４とでオンオフに制御される。これ等のスイッチング素子は、以下の動作をしてメインスイッチング素子２３をオンオフに切り換える。
【００２６】
(1)  パック電池１０が本体機器３０に接続されると、信号端子１３の電圧が高くなって、第１の入力スイッチング素子２１と、第２の入力スイッチング素子２２のゲートに”Ｈｉｇｈ”が入力されて、オンに切り換えられる。信号端子１３の電圧は、温度センサー１６の電気抵抗で変化する。ただ、温度センサー１６の電気抵抗が最低電圧まで低下しても、第１の入力スイッチング素子２１と第２の入力スイッチング素子２２をオンに切り換えできる”Ｈｉｇｈ”の電圧を入力するようにしている。パック電池１０が本体機器３０から外されると、信号端子１３の電圧は０Ｖとなり”Ｌｏｗ”となる。
【００２７】
(2)  第１の入力スイッチング素子２１と、制御スイッチング素子２４のいずれかがオンになると、メインスイッチング素子２３はソースがアースに接続される。この状態になるメインスイッチング素子２３は、ソースとゲート間にＦＥＴをオンにするバイアス電圧が入力されるのでオンに切り換えられる。オンのメインスイッチング素子２３は、二次電池１１をレギュレータ回路１５に接続して、レギュレータ回路１５を動作状態とする。動作状態のレギュレータ回路１５は、二次電池１１の電圧を安定化してワンチップマイコン１４を起動する。
(3)  ワンチップマイコン１４が起動されると、ワンチップマイコン１４は制御スイッチング素子２４をオンに切り換える。したがって、メインスイッチング素子２３がオンに保持されて、レギュレータ回路１５は動作状態に保持される。
(4)  パック電池１０が本体機器３０から外されると、信号端子１３の電圧が低下する。信号端子１３がプルアップ抵抗３２で電源ライン３１に接続されなくなるからである。このため、第１の入力スイッチング素子２１と第２の入力スイッチング素子２２はオフに切り換えられる。この状態になっても、動作状態のワンチップマイコン１４が制御スイッチング素子２４をオンに保持して、レギュレータ回路１５を動作状態とする。
(5)  オフ状態に切り換えられた第２の入力スイッチング素子２２は、ワンチップマイコン１４に”Ｈｉｇｈ”のオフ信号を入力する。パック電池１０が本体機器３０に接続されて、第２の入力スイッチング素子２２がオンのとき、第２の入力スイッチング素子２２はオンとなってワンチップマイコン１４に”Ｌｏｗ”を出力する。したがって、ワンチップマイコン１４は、第２の入力スイッチング素子２２から”Ｌｏｗ”が入力されると、パック電池１０が本体機器３０に装着されたと判定し、”Ｈｉｇｈ”が入力されると、パック電池１０が本体機器３０から外されたと判定する。ワンチップマイコン１４は、第２の入力スイッチング素子２２から入力される”Ｈｉｇｈ”のオフ信号で、パック電池１０が外されたことを検出して、データ退避等の終了処理を行った後、制御スイッチング素子２４をオフに切り換える。この状態になると、制御スイッチング素子２４と第１の入力スイッチング素子２１の両方がオフとなるので、メインスイッチング素子２３はオフに切り換えられる。なお、このような実施例に代わって、第２の入力スイッチング素子２２から入力される”Ｈｉｇｈ”のオフ信号で、メインスイッチング素子２３がオフに切り換える回路とすることもできる。
(6)  メインスイッチング素子２３がオフに切り換えられると、二次電池１１からレギュレータ回路１５に電力が供給されなくなって、レギュレータ回路１５の動作が停止する。このため、レギュレータ回路１５は、二次電池１１の電力をワンチップマイコン１４に供給しなくなる。すなわち、パック電池１０が本体機器３０から外されると、シャットダウン回路１２はＯＦＦ動作して、二次電池１１からワンチップマイコン１４への電力供給を遮断する。
【００２８】
図３のパック電池５０は、電池情報を記憶するメモリ５７を備える。メモリ５７はＥＥＰＲＯＭである。メモリ５７は一対の信号端子５３に接続している。パック電池５０は、一方の信号端子５３Ａ（ＳＤＡ）の電圧を検出して、本体機器７０への脱着を検出する。パック電池５０が本体機器７０に接続されると、信号端子５３Ａ（ＳＤＡ）の電圧が上昇して”Ｈｉｇｈ”となる。パック電池５０が本体機器７０から外されると、信号端子５３Ａ（ＳＤＡ）の電圧し低下して”Ｌｏｗ”となる。パック電池５０が本体機器７０に接続されると、メモリ５７が本体機器７０のプルアップ抵抗７２を介して電源ライン７１に接続されるからである。本体機器７０は、パック電池５０の信号端子５３に接続されるコネクタ端子７３を、プルアップ抵抗７２を介して本体機器７０の電源ライン７１に接続している。
【００２９】
ワンチップマイコン５４は、メモリ５７に記憶する情報を本体機器７０に出力する。パック電池５０が本体機器７０に装着されると、本体機器７０からパック電池５０に、メモリ５７の情報を要求する信号が出力される。ワンチップマイコン５４は、この信号を検出して、メモリ５７に記憶している情報を本体機器７０に出力する。
【００３０】
このパック電池５０と本体機器７０は、以下の動作をして、シャットダウン回路５２をＯＦＦ動作させる。
(1)  パック電池５０が本体機器７０に接続されると、本体機器７０のプルアップ抵抗７２によって信号端子５３Ａ（ＳＤＡ）の電圧が高くなって、第１の入力スイッチング素子６１と、第２の入力スイッチング素子６２のゲートに”Ｈｉｇｈ”が入力されて、オンに切り換えられる。
(2)  第１の入力スイッチング素子６１と制御スイッチング素子６４のいずれかがオンになると、メインスイッチング素子６３は、ゲートがアースに接続される。この状態になるメインスイッチング素子６３は、ソースとゲート間にＦＥＴをオンにするバイアス電圧が入力されるのでオンに切り換えられる。オンのメインスイッチング素子６３は二次電池５１をレギュレータ回路５５に接続して、レギュレータ回路５５を動作状態とする。動作状態のレギュレータ回路５５は、二次電池５１の電圧を安定化してワンチップマイコン５４を起動する。
(3)  ワンチップマイコン５４が起動されると、ワンチップマイコン５４は制御スイッチング素子６４をオンに切り換える。したがって、メインスイッチング素子６３がオンに保持されて、レギュレータ回路５５は動作状態に保持される。
(4)  パック電池５０が本体機器７０から外されると、信号端子５３Ａ（ＳＤＡ）の電圧が低下する。信号端子５３Ａ（ＳＤＡ）がプルアップ抵抗７３で電源ライン７１に接続されなくなるからである。このため第１の入力スイッチング素子６１と第２の入力スイッチング素子６２はオフに切り換えられる。この状態になっても、動作状態のワンチップマイコン５４が制御スイッチング素子６４をオンに保持して、レギュレータ回路５５を動作状態とする。
(5)  オフ状態に切り換えられた第２の入力スイッチング素子６２は、ワンチップマイコン５４に”Ｈｉｇｈ”のオフ信号を入力する。パック電池５０が本体機器７０に接続されて、第２の入力スイッチング素子６２がオンのとき、第２の入力スイッチング素子６２はオンとなってワンチップマイコン５４に”Ｌｏｗ”を出力する。したがって、ワンチップマイコン５４は第２の入力スイッチング素子６２から”Ｌｏｗ”が入力されると、パック電池５０が本体機器７０に装着されたと判定し、”Ｈｉｇｈ”が入力されると、パック電池５０が本体機器７０から外されたと判定する。ワンチップマイコン５４は、第２の入力スイッチング素子６２から入力される”Ｈｉｇｈ”のオフ信号で、パック電池５０がが外されたことを検出して制御スイッチング素子６４をオフに切り換える。この状態になると、制御スイッチング素子６４と第１の入力スイッチング素子６１の両方がオフとなるので、メインスイッチング素子６３はオフに切り換えられる。
(6)  メインスイッチング素子６３がオフに切り換えられると、二次電池５１からレギュレータ回路５５に電力が供給されなくなって、レギュレータ回路５５の動作が停止する。このため、レギュレータ回路５５は二次電池５１の電力をワンチップマイコン５４に供給しなくなる。すなわち、パック電池５０が本体機器７０から外されると、シャットダウン回路５２はシャットダウンして、二次電池５１からワンチップマイコン５４への電力供給を遮断する。
【００３１】
図３のパック電池５０は、信号端子５３Ａ（ＳＤＡ）の電圧でシャットダウン回路５２を動作させる。ただ、もう一方の信号端子５３Ｂ（ＳＣＬ）の電圧でシャットダウン回路５２をオンオフに制御することもできる。
【図面の簡単な説明】
【００３２】
【図１】本発明の一実施例にかかるパック電池が装着される電気機器の回路図である。
【図２】図１に示すパック電池のシャットダウン回路の拡大図である。
【図３】本発明の他の実施例にかかるパック電池が装着される電気機器の回路図である。
【符号の説明】
【００３３】
１０…パック電池
１１…二次電池
１２…シャットダウン回路
１３…信号端子
１４…マイコン
１５…レギュレータ回路
１６…温度センサー
２１…第１の入力スイッチング素子
２２…第２の入力スイッチング素子
２３…メインスイッチング素子
２４…制御スイッチング素子
２５…負荷抵抗
３０…本体機器
３１…電源ライン
３２…プルアップ抵抗
３３…コネクタ端子
３５…電圧検出回路
５０…パック電池
５１…二次電池
５２…シャットダウン回路
５３…信号端子                    ５３Ａ…信号端子
５３Ｂ…信号端子
５４…マイコン
５５…レギュレータ回路
５７…メモリ
６１…第１の入力スイッチング素子
６２…第２の入力スイッチング素子
６３…メインスイッチング素子
６４…制御スイッチング素子
７０…本体機器
７１…電源ライン
７２…プルアップ抵抗
７３…コネクタ端子
【図１】
2007042396.tif 000003
【図２】
2007042396.tif 000004
【図３】
2007042396.tif 000005